(57)【特許請求の範囲】
【請求項１】
分割されて圧縮軸心（Ｌ）方向に並設された第１分割型（21）と第２分割型（22）を備え、組付け状態で、上記第１分割型（21）の分割接合面（21ａ）及び上記第２分割型（22）の分割接合面（22ａ）が上記圧縮軸心（Ｌ）に直交状である鍛造用金型に於て、
上記第１分割型（21）及び上記第２分割型（22）の内の一方は、上記圧縮軸心（Ｌ）に直交する直交平面の上記分割接合面（21ａ）を有し、他方は、キャビティ（11）側の最内端縁（22ｂ）から所定寸法（Ｓ）だけ離れた所定位置（Ｑ）まで軸心直交平面に対して５′〜５０′の微小勾配角度（α）をもって形成される上記分割接合面（22ａ）と、上記微小勾配角度（α）よりも大きな逃がし角度（β）をもって上記所定位置（Ｑ）からラジアル外方側（Ｎ）に向かって傾斜している逃がし勾配面（22ｅ）と、を有し、
組付け前の軽接触状態で、上記第１分割型（21）の上記分割接合面（21ａ）と上記第２分割型（22）の上記分割接合面（22ａ）との間隙寸法が、上記キャビティ（11）側の最内端縁（21ｂ）（22ｂ）から上記ラジアル外方側（Ｎ）へ向かって、５′〜５０′の微小対面角度（θ）をもって増加するように構成し、
上記組付け状態において、上記第１分割型（21）の上記分割接合面（21ａ）と上記第２分割型（22）の上記分割接合面（22ａ）とが面接触状に接合して、接触面圧（Ｐ）が均一になるように構成したことを特徴とする鍛造用金型。
【請求項２】
分割されて圧縮軸心（Ｌ）方向に並設された第１分割型（21）と第２分割型（22）を備え、組付け状態で、上記第１分割型（21）の分割接合面（21ａ）及び上記第２分割型（22）の分割接合面（22ａ）が上記圧縮軸心（Ｌ）に直交状である鍛造用金型に於て、
上記第１分割型（21）及び上記第２分割型（22）の内の一方は、上記圧縮軸心（Ｌ）に直交する直交平面の上記分割接合面（21ａ）を有し、他方は、キャビティ（11）側の最内端縁（22ｂ）から所定寸法（Ｓ）だけ離れた所定位置（Ｑ）まで軸心直交平面に対して５′〜５０′の微小勾配角度（α）をもって形成される上記分割接合面（22ａ）と、上記微小勾配角度（α）よりも大きな逃がし角度（β）をもって上記所定位置（Ｑ）からラジアル外方側（Ｎ）に向かって傾斜している逃がし勾配面（22ｅ）と、を有し、
組付け前の軽接触状態で、上記第１分割型（21）の上記分割接合面（21ａ）と上記第２分割型（22）の上記分割接合面（22ａ）との間隙寸法が、上記キャビティ（11）側の最内端縁（21ｂ）（22ｂ）から上記ラジアル外方側（Ｎ）へ向かって、５′〜５０′の微小対面角度（θ）をもって増加するように構成し、
上記組付け状態において、上記第１分割型（21）の上記分割接合面（21ａ）と上記第２分割型（22）の上記分割接合面（22ａ）とが面接触状に接合して、接触面圧（Ｐ）が上記ラジアル外方側（Ｎ）から上記キャビティ（11）側へ向かうにつれて次第に大きくなるようにし、さらに、ワーク（Ｗ）を鍛造する圧縮加工の際に、上記接触面圧（Ｐ）が均一になるように構成したことを特徴とする鍛造用金型。
【発明の詳細な説明】
【技術分野】
【０００１】
本発明は、鍛造用金型に関する。
【背景技術】
【０００２】
鍛造に於て、金型への負荷が最も大きいのは、圧縮によりワーク（素材）の厚みを薄くする圧縮工程の際であり、その際の大きな負荷によって金型に不具合が発生しやすい。
従来は、キャビティを形成する成形金型（インサート）は、大きな荷重を受けるために、例えば、ケース金型に焼嵌めで組付けて外周側から補強し、さらに、圧縮の際に成形金型の割れ易い箇所を、予め圧縮軸心方向に並設するように２分割して、応力を逃がしていた。
例えば、特許文献１に示されたように、第１分割型（第１インサート）と第２分割型（第２インサート）を、ケース金型に組付けていた。
【先行技術文献】
【特許文献】
【０００３】
【特許文献１】特開平１１−２２１６４５号公報
【発明の概要】
【発明が解決しようとする課題】
【０００４】
しかし、第１分割型と第２分割型とをケース金型に組付ける力（予圧）が大きいと、第１分割型と第２分割型の接合面が部分的にお互いに食い込んでしまい、塑性変形を招き、成形に因る変形に追従しなくなり（応力を逃がすことができず）金型が損傷するといった問題があった。
鍛造用金型は、現実には、その容積（外径寸法）に制約があり、第１分割型と第２分割型に分割した外周をケース金型にて十分に補強することが許されない場合が多い。そのような場合には、組付ける力（予圧）が弱く、ワークから受ける大きな荷重によって、第１分割型と第２分割型の接合部に於て、キャビティ側の最内端縁に、隙間が生じ、その隙間にワーク（素材）の一部が侵入して成形品にバリ等の成形不良が発生するという問題があった。
【０００５】
そこで、本発明は、鍛造用金型の容積（外径寸法）の大きさの制約下に於て、分割型と分割型の接合面の間に、キャビティ側から圧縮工程中の素材が入り込むような隙間（間隙）が発生することを、簡素な構造をもって、防止することを目的とする。また、接合面に局部的に接触面圧が過大となって、塑性変形（食い込み）が発生することを、簡素な構造をもって、防止することを他の目的とする。
【課題を解決するための手段】
【０００６】
上記目的を達成するために、本発明の鍛造用金型は、分割されて圧縮軸心方向に並設された第１分割型と第２分割型を備え、組付け状態で、上記第１分割型の分割接合面及び上記第２分割型の分割接合面が上記圧縮軸心に直交状である鍛造用金型に於て、上記第１分割型及び上記第２分割型の内の一方は、上記圧縮軸心に直交する直交平面の上記分割接合面を有し、他方は、キャビティ側の最内端縁から所定寸法だけ離れた所定位置まで軸心直交平面に対して５′〜５０′の微小勾配角度をもって形成される上記分割接合面と、上記微小勾配角度よりも大きな逃がし角度をもって上記所定位置からラジアル外方側に向かって傾斜している逃がし勾配面と、を有し、組付け前の軽接触状態で、上記第１分割型の上記分割接合面と上記第２分割型の上記分割接合面との間隙寸法が、上記キャビティ側の最内端縁から上記ラジアル外方側へ向かって、５′〜５０′の微小対面角度をもって増加するように構成し、上記組付け状態において、上記第１分割型の上記分割接合面と上記第２分割型の上記分割接合面とが面接触状に接合して、接触面圧が均一になるように構成したものである。
また、分割されて圧縮軸心方向に並設された第１分割型と第２分割型を備え、組付け状態で、上記第１分割型の分割接合面及び上記第２分割型の分割接合面が上記圧縮軸心に直交状である鍛造用金型に於て、上記第１分割型及び上記第２分割型の内の一方は、上記圧縮軸心に直交する直交平面の上記分割接合面を有し、他方は、キャビティ側の最内端縁から所定寸法だけ離れた所定位置まで軸心直交平面に対して５′〜５０′の微小勾配角度をもって形成される上記分割接合面と、上記微小勾配角度よりも大きな逃がし角度をもって上記所定位置からラジアル外方側に向かって傾斜している逃がし勾配面と、を有し、組付け前の軽接触状態で、上記第１分割型の上記分割接合面と上記第２分割型の上記分割接合面との間隙寸法が、上記キャビティ側の最内端縁から上記ラジアル外方側へ向かって、５′〜５０′の微小対面角度をもって増加するように構成し、上記組付け状態において、上記第１分割型の上記分割接合面と上記第２分割型の上記分割接合面とが面接触状に接合して、接触面圧が上記ラジアル外方側から上記キャビティ側へ向かうにつれて次第に大きくなるようにし、さらに、ワークを鍛造する圧縮加工の際に、上記接触面圧が均一になるように構成したものである。
【発明の効果】
【０００７】
本発明によれば、圧縮工程の際に、第１分割型と第２分割型の間に隙間を発生させず、ワーク（の一部）が第１分割型と第２分割型の間に侵入するのを防止できる。また、第１分割型と第２分割型とが接合面に於てお互いに食い込んで塑性変形することを防止できる。さらに、鍛造品に、バリ等が発生することを防止できる。また、第１分割型と第２分割型の接合部の損傷や磨耗を防止し金型寿命を延ばすことができる。
【図面の簡単な説明】
【０００８】
【図１】本発明の実施の一形態の組付け状態を示す簡略正面断面図である。
【図２】実施の一形態の組付け前状態を示す簡略正面断面図である。
【図３】組付け前の状態の要部拡大断面図である。
【図４】組付け前の軽接触状態の要部拡大断面図である。
【図５】組付け状態の要部拡大断面図である。
【図６】成形状態での接触面圧を説明するための要部拡大断面図である。
【図７】他の実施形態の組付け状態の要部拡大断面図である。
【図８】他の実施形態の成形状態での接触面圧を説明するための要部拡大断面図である。
【図９】別の実施の形態の組付け前の軽接触状態を示す要部拡大断面図である。
【図１０】金型の組付け状態の他例を示す簡略正面断面図である。
【図１１】従来例を示し、組付け前の状態の要部断面図である。
【図１２】従来例を示し、組付け状態の要部断面図である。
【図１３】従来例を示し、成形中にワークから受ける力を説明した要部断面図である。
【図１４】従来例を示し、成形状態の接触面圧を説明すると共に従来の問題点を示す要部断面図である。
【発明を実施するための形態】
【０００９】
以下、図示の実施形態に基づき本発明を詳説する。
図１の実施の形態に於て、鍛造用金型は、ケース金型（補強金型）２に焼嵌め等にて内嵌締め付け状に組付けられた状態（組付け状態）で、ワーク（素材）Ｗが内装されるキャビティ11を形成する円筒状の成形金型（インサート金型）20を備えている。また、成形金型20は、スペーサ金型３に下方から支持され、パンチ31から付与される圧縮軸心Ｌ方向の押圧力（下方への押圧力）を受けるように配設される。
図２に示すように、成形金型20は、組付け前状態で、パンチ（ポンチ）31が往復移動する圧縮軸心Ｌ方向に、円筒状の第１分割型（上インサート型又は上ニブとも呼ぶ）21と円筒状の第２分割型（下インサート型又は下ニブとも呼ぶ）22とに、分割される。
【００１０】
図１及び図２に於て、第１分割型21は、組付け状態でキャビティ11の一部を形成する内周面21ｃと、組付け状態で第２分割型22と接合する分割接合面21ａ（以下、第１接合面21ａと呼ぶ場合もある）と、を有し、円筒状に形成されている。
第２分割型22は、組付け状態でキャビティ11の一部を形成する内周面22ｃ及び底面22ｆと、組付け状態で第１分割型21と接合する分割接合面22ａ（以下、第２接合面22ａと呼ぶ場合もある）と、パンチ31と対向状に配設され圧縮軸心Ｌ方向に往復移動可能なダイピン（ノックアウトピン）32が挿入される貫孔22ｄと、を有し、円筒状に形成されている。
このように、分割されて圧縮軸心Ｌ方向に第１分割型21と第２分割型22を備えていると共に、組付け状態で、分割接合面21ａと分割接合面22ａは、圧縮軸心Ｌに直交状である。
【００１１】
図３に示すように、第１分割型21と第２分割型22を圧縮軸心Ｌを共通軸心として配設して、第１接合面（第１分割型21の下面）21ａと第２接合面（第２分割型22の上面）22ａを対面状に配設した組付け前の（準備）状態において、第１接合面21ａは、圧縮軸心Ｌに直交する直交平面（以下、軸心直交平面と呼ぶ場合がある）に形成され、第２接合面22ａは、キャビティ11側の最内端縁22ｂから所定寸法Ｓだけ離れた所定位置Ｑまで軸心直交平面外方側（ラジアル外方側）Ｎに向かって下傾する勾配（テーパ）面状に形成されている。
即ち、第２接合面22ａは円錐面を成している。また、第２接合面22ａは、軸心直交平面に対して、５′〜５０′の微小勾配角度αをもって形成されている。なお、このような微小勾配角度αを１０′〜２０′とすることは、さらに望ましい。
【００１２】
また、第２分割型22は、所定位置Ｑから、軸心直交平面外方側（ラジアル外方側）Ｎに向かって下傾する逃がし勾配面22ｅを有している。
逃がし勾配面22ｅは、軸心直交平面に対して、微小勾配角度αよりも大きな角度の逃がし角度βをもって傾斜している。逃がし角度βは具体的には、１°〜６０°である。
即ち、第２分割型22の上面は、組付け前状態で、第２接合面22ａと逃がし勾配面22ｅを連続状に有する折れ曲がりテーパ面（傾斜面）状であり、第２分割型22の上部は側面視円錐台状である。
【００１３】
図４に示すように、第１接合面21ａの最内端縁21ｂと、第２接合面22ａの最内端縁22ｂが当接した、組付け前の軽接触状態（圧縮軸心Ｌ方向の押圧力が付与されていない非押圧状態）において、第１接合面21ａは軸心直交平面に形成され、第２接合面22ａは勾配面状に形成されている。
そして、この軽接触状態において、第１接合面21ａと第２接合面22ａの間隙寸法が、最内端縁21ｂ，22ｂからラジアル外方側（軸心直交平面外方側）Ｎへ向かって、５′〜５０′の微小対面角度θをもって増加するように形成されている。なお、１０′〜２０′の微小対面角度θをもって増加するように形成されるのが好ましい。ところで、前述したところの微小勾配角度αが、微小対面角度θに相当する（相等しい）。また、第１接合面21ａと第２接合面22ａの間は、軽接触状態の正面断面視で、開口嘴状に形成されているとも言える。
【００１４】
また、図５に示すように、組付け状態では、第２接合面22ａと第１接合面21ａとが相互に押圧して、応力のバランスが保たれる（平衡となる）まで弾性変形し、第１接合面21ａと第２接合面22ａがキャビティ11側からラジアル外方側Ｎへ向かって下方傾斜状の極微小傾斜面にて面接触状に接合するように構成している。なお、図示省略するが、第１接合面21ａが第２接合面22ａに押圧されてキャビティ11側からラジアル外方側Ｎへ向かって下方傾斜状となる場合もある。いずれにせよ、第１接合面21ａと第２接合面22ａが外方下傾斜状の極微小傾斜面にて面接触状に接合するように構成している。（微小対面角度θを設定している。）
この極微小傾斜面の極微小傾斜角度α´が、１′〜４０′となるように構成（微小対面角度θを設定）するのが望ましい。より好ましくは、極微小傾斜角度α´が２′〜１５′となるように構成する。
さらに、組付け状態で、第１接合面21ａと第２接合面22ａとの接触面圧Ｐが均一になるように構成している。
なお、本発明に於て、組付け状態で、この極微小傾斜面の極微小傾斜角度α´が、極めて小さいため、第１接合面21ａと第２接合面22ａが組付け状態で、圧縮軸心Ｌに直交状と呼ぶ場合もある。
【００１５】
言い換えると、図５に於て、第２接合面22ａを、二点鎖線で示す組付け前の勾配面状から、組立（組付け）状態で直交平面状（傾斜角度が小さくなった極微小傾斜面状）に変形（弾性変形）するように設けている。さらに言い換えると、図４に於て、第２分割型22は、最内端縁22ｂから所定位置Ｑまでの範囲に、一点鎖線で示す軸心直交基準平面Ｅｑ（成形金型20の軸心直交分割基準平面）よりも、接合相手の分割型側（上方）へ突出する横断面三角形状（直角三角形状）の小凸部29を有している。
【００１６】
さらに具体的に説明すれば、図２から図１のように、あるいは、図４から図５のように、ケース金型２に第１・第２分割型21，22を挿入して締付けるが、一般に焼嵌め等を適用するのが望ましい。図４（図２）から図５（図１）のように、ケース金型２に焼嵌め等にて締付ける際に、第１分割型21は僅かに上方凸状（山型）に弾性変形して接合するので、第１分割型21の下面（分割接合面）21ａは、ラジアル外方へ下傾状勾配面の分割接合面22ａと、平行状態に近づきつつ圧接し、図５に示す如く、均一（均等）な接触面圧Ｐを描くことになる。なお、上述したように、第１分割型21が僅かに上方凸状（山型）に弾性変形する理由は、（第２分割型22の下面はスペーサ金型３にて下方への変形を阻止されているのに対して、）第１分割型21の上面は（他部材が存在せず）フリー状態であるためである。
本発明にあっては、焼嵌め等の締付けの際に、第１分割型21が上方凸状（山型）に弾性変形して、その下面もそのように上方凸状に弾性変形する現象を巧妙に活用し、予め、図３と図４にて説明した微小勾配角度αの勾配面状に、第２分割型22の分割接合面22ａを形成して、図５に示すように、組付け状態に於て、接触面圧Ｐを均一（均等）になるようにしたものといえる。
【００１７】
ここで、図11〜図14は従来例を示しており、図11に示すように、第１分割型91の分割接合面91ａ（第１接合面91ａ）を軸心直交平面とし、第２分割型92の分割接合面92ａ（第２接合面92ａ）を、軸心直交平面としたものである。
図12に示すように、組付け状態で、第１接合面91ａと第２接合面92ａの接触面圧Ｐ´は、最内端縁91ｂ，92ｂに接近するにつれて次第に接触面圧が小さくなる（不均一である）。このように最内端縁91ｂ，92ｂ及びその近傍の接触面圧Ｐ´が小さい状態で、ワークＷを鍛造する圧縮加工の際に、図13に示すような、ワークＷからの押圧力Ｆを第１分割型91及び第２分割型92が受けると、押圧力Ｆは底面95側が大きいため、矢印Ｍのようにおじぎ変形を起こし、第２接合面92ａは、ラジアル内方側（最内端縁92ｂ）が図13，図14の下方へ微小寸法だけ移動し、ラジアル外方側が同図の上方へ移動しようとするため、ラジアル外方側の第１接合面91ａに対する接触面圧がさらに増大して、図12に示す接触面圧Ｐ´から、図14に示す接触面圧Ｐ´´のように変化する。即ち、ラジアル内方側とラジアル外方側の接触面圧の差が大きくなり、しかも、最内端縁92ｂの接触面圧が零又は零に近づき、ワーク（素材）Ｗの一部が、図14の如く、侵入して、いわゆるバリを発生する。さらに、最内端縁91ｂ，92ｂ及びその近傍に、磨耗や損傷が発生し、金型の寿命を早めてしまうといった問題がある。また、所定位置Ｑ´近傍（第１・第２接合面91ａ，92ａの最外端縁近傍）では、接触面圧が過剰に大きくなり、圧潰や、分割型同士が互いに食い込むような塑性変形が発生し、金型の寿命を早めてしまうといった問題がある。このような図11〜図14にて述べた従来の問題点を、本発明は、簡素な構成によって見事に解決したものであって、図５の組付け状態に於て、接触面圧Ｐを均等（均一）になるように、５′〜５０′の微小対面角度θをもってラジアル外方向に増加させ（図４参照）たことで達成し、従来の図12の組付け状態と比較すると、最内端縁21ｂ，22ｂ近傍の接触面圧を増加させ、同時に、所定位置Ｑでは接触面圧を減少させている。
本発明にあっても、従来例で述べた図13と全く同様の現象が生じて、矢印Ｍ方向におじぎ変形を生じる。そのため図５〜図６に示す如く、鍛造工程（圧縮加工）の成形状態では、接触面圧分布が変化する。即ち、ラジアル内方側の面圧は減少し、ラジアル外方側の面圧は増加する。しかし、従来例の図12から図14への変化に比べると、図６で明らかな如く、ラジアル内方側（最内端縁21ｂ，22ｂ）にも圧縮面圧が残り、それによって、図14に示したような間隙（隙間）Ｃを生じつつワーク（素材）Ｗの一部が侵入してバリを発生することを防止でき、さらに、ラジアル外方側（所定位置Ｑの近傍）の面圧は、従来の図14よりも十分に小さくなって、接合面21ａ，22ａに圧潰（塑性変形）を生ずることを防止できる。
【００１８】
また、他の実施の形態は、図７に示すように、組付け状態において、第１接合面21ａと第２接合面22ａとの接触面圧Ｐが、ラジアル外方側Ｎからキャビティ11側へ向かうにつれて次第に大きくなるように構成している。
そして、図８に示すように、ワークＷを鍛造する圧縮加工の際に、第１接合面21ａと第２接合面22ａとの接触面圧Ｐが、均一になるように構成している。
従来例の図14と比べると、図８で明らかな如く、ラジアル内方側（最内端縁21ｂ，22ｂ）にも圧縮面圧が残り、それによって、図14に示したような間隙（隙間）Ｃを生じつつワーク（素材）Ｗの一部が侵入してバリを発生することを防止でき、さらに、ラジアル外方側（所定位置Ｑの近傍）の面圧は、従来の図14よりも十分に小さくなって、接合面21ａ，22ａに圧潰（塑性変形）を生ずることを防止できる。
【００１９】
次に、別の実施の形態は、図９に示すように、組付け前の軽接触状態で、第１接合面21ａを勾配面状に設け、第２接合面22ａを軸心直交平面に形成し、第１接合面21ａと第２接合面22ａとの間隙寸法が、最内端縁21ｂ，22ｂから軸心直交平面外方側（ラジアル外方向）Ｎへ向かって、微小対面角度θをもって増加するように形成している。
【００２０】
なお、本発明は、設計変更可能であって、成形金型20（第１分割型21と第２分割型22）のラジアル外方側Ｎを保持（補強）する構造は、図１に示したように、ケース金型２に組付ける場合に限らず、図10に示すように、成形金型20とケース金型２の間に、第１分割型21が組付けられる円筒状の第１補強型51と、第２分割型22が組付けられる円筒状に第２補強型52を設けて補強したものでも良い。即ち、第１分割型21と第２分割型22が組付けられる金型（部材）の構造（形状）は自由である。
また、逃がし勾配面22ｅを、第１分割型21と第２分割型22の両方に設けても良い。また、圧縮軸心Ｌを鉛直状（上下方向）として方向を説明したが、水平状や傾斜状とするも自由である。また、微小対面角度θ（微小勾配角度α）を１０′〜２０′とするのがさらに好ましい。なお、本発明に於て、均一とは、最大面圧と最小面圧の差が２０％以内と定義する。
【００２１】
以上のように、本発明の鍛造用金型は、分割されて圧縮軸心Ｌ方向に並設された第１分割型21と第２分割型22を備え、組付け状態で、第１分割型21の分割接合面21ａ及び第２分割型22の分割接合面22ａが圧縮軸心Ｌに直交状である鍛造用金型に於て、組付け前の軽接触状態で、第１分割型21の分割接合面21ａと第２分割型22の分割接合面22ａとの間隙寸法が、キャビティ11側の最内端縁21ｂ，22ｂからラジアル外方側Ｎへ向かって、５′〜５０′の微小対面角度θをもって増加するように構成したので、圧縮工程の際に、第１分割型21と第２分割型22の間に間隙Ｃ（図14参照）を発生させず、ワークＷの一部が第１分割型21と第２分割型22の間に侵入するのを防止できる。また、第１分割型21と第２分割型22とがお互いに食い込んで塑性変形するような強い力で無理に組付ける必要がなくなり成形に因る変形に分割型を追従させることができる。キャビティを適正な形状に維持でき、バリの発生等加工不良を軽減して所定形状に加工できる。また、第１分割型21と第２分割型22の接合部の損傷や磨耗を防止し金型寿命を延ばすことができる。
【００２２】
また、軽接触状態で、第１分割型21の分割接合面21ａと第２分割型22の分割接合面22ａの内、一方を圧縮軸心Ｌに直交する直交平面に形成し、他方を勾配面状に形成したので、製作が容易である。
【００２３】
また、組付け状態において、第１分割型21の分割接合面21ａと第２分割型22の分割接合面22ａとの接触面圧Ｐが、均一になるように構成したので、成形によって第１分割型21の分割接合面21ａと第２分割型22の分割接合面22ａとの間に間隙Ｃが生じるのをより確実に防止でき、適正で品質の良い鍛造品を得ることができる。また、金型寿命を延ばすことができる。
【００２４】
また、組付け状態において、第１分割型21の分割接合面21ａと第２分割型22の分割接合面22ａとの接触面圧Ｐが、ラジアル外方側Ｎからキャビティ11側へ向かうにつれて次第に大きくなるように構成したので、成形によって第１分割型21の分割接合面21ａと第２分割型22の分割接合面22ａとの間に間隙Ｃが生じるのをより確実に防止でき、適正で品質の良い鍛造品を得ることができる。また、金型寿命を延ばすことができる。
【符号の説明】
【００２５】
11  キャビティ
21  第１分割型
21ａ  分割接合面
21ｂ  最内端縁
22  第２分割型
22ａ  分割接合面
22ｂ  最内端縁
22ｅ 逃がし勾配面
Ｌ  圧縮軸心
Ｎ  ラジアル外方側
Ｐ  接触面圧
Ｑ 所定位置
Ｓ 所定寸法
θ  微小対面角度
α 微小勾配角度
β 逃がし角度
【図１】
0005503610.tif 000002
【図２】
0005503610.tif 000003
【図３】
0005503610.tif 000004
【図４】
0005503610.tif 000005
【図５】
0005503610.tif 000006
【図６】
0005503610.tif 000007
【図７】
0005503610.tif 000008
【図８】
0005503610.tif 000009
【図９】
0005503610.tif 000010
【図１０】
0005503610.tif 000011
【図１１】
0005503610.tif 000012
【図１２】
0005503610.tif 000013
【図１３】
0005503610.tif 000014
【図１４】
0005503610.tif 000015